(57)【要約】【課題】有害ガス検知器の判断を向上させる方法を提供する。【解決手段】本発明は、有害ガス検知器の出力信号電圧と環境検知電圧との間の電圧差を予め多数等分の分割にして設定し、有害ガス検知器の各個検知履歴プロセスは、マイクロプロセッサにより１０回連続的に各マイクロ秒ごとに捕獲された環境検知電圧から構成され、定時検知において各１０秒ごとに１回の検知履歴プロセスを行うと共に、環境検知電圧に変動が直線性変化を呈するように現れたときであれば、定時検知は１０分の１秒ごとの１回の密集検知状態に入り、かつ３回連続する検知履歴プロセスが直線性変化を呈するときに警報器を起動させ、そうでない場合は出力信号電圧を環境検知電圧の変動に基づいて補償して定時検知へ応答送信することで、両者間の電圧差を一定値に維持するように促すことができる。【選択図】図２
2020173745.tif 000002
【特許請求の範囲】
【請求項１】
有害ガス検知器の出力信号電圧と環境検知電圧との間の電圧差を予め多数等分の分割にして設定し、前記有害ガス検知器の各個検知履歴プロセスは、マイクロプロセッサにより１０回連続的に各マイクロ秒ごとに捕獲された環境検知電圧から構成され、定時検知において各１０秒ごとに１回の検知履歴プロセスを行うと共に、環境検知電圧の変動が直線性変化を呈するときに、定時検知は１０分の１秒ごとの１回の密集検知に入り、かつ密集検知が３回連続する検知履歴プロセスが直線性変化を呈するときに警報器を起動させ、そうでない場合は出力信号電圧を環境検知電圧の変動に基づいて補償して定時検知へ応答送信することで、両者間の電圧差を一定値に維持するように促すことを特徴とする、有害ガス検知器の判断を向上させる方法。
【請求項２】
多数等分の分割が１００等分であることを特徴とする、請求項１に記載の有害ガス検知器の判断を向上させる方法。
【発明の詳細な説明】
【技術分野】
【０００１】
本発明に係る有害ガス検知器の判断を向上させる方法は、有害ガス検知器の検知履歴プロセスは、マイクロプロセッサにより捕獲された環境検知電圧から構成されると共に、変化数値が直線性変化を呈する環境検知電圧に対して密集検知を行い、かつ密集検知が３回連続する検知履歴プロセスが直線性変化を呈するときに警報器を起動させ、そうでない場合は出力信号電圧を環境検知電圧の変動に基づいて補償して定時検知へ応答送信することで、有害ガス検知器は、温度、湿度変化に応じて補償を行うように促し、かつ有害ガスの検知反応を高めることができる。
【背景技術】
【０００２】
人間の嗅覚について言えば、身体の感覚器官を利用して気体とは何かを識別することができない性質が存在する。そこで、無色無臭の気体の中に、人体に対して有害な気体がいくつ存在しており、例えば、人間が一酸化炭素を過剰に摂取する場合は、人間が昏睡状態に陥って死に至る現象につながるおそれがあるが、仮に気体検知器を用いて探知可能となり、適当な処理を施せば、人身の安全を確保することができることになる。このほか、二酸化炭素や酸素は、人間の生活品質に密接に関連しているため、空気調和システムにおいて、二酸化炭素濃度、酸素濃度や汚染気体濃度を検知する気体検知器を使用する必要があり、そうでなければ標準に準拠するように、気体濃度を調整したり、あるいは空気清浄機を起動させたりすることが不可能となり、気体検知器が人間に与える生活快適性の改善での重要性が十分に見出される。
【０００３】
有害ガス検知器とは、いわゆる気体（一般には空気を指す）中に含有する特定の有害ガス（即ち、被測定気体）を適当な電気信号（電圧、電流、電気抵抗）に変換して監視測定または計量できるようにする部品のことであり、動物の嗅覚に相当する部品は、俗に、「電子鼻」と呼ばれている。有害ガス検知器を経由して有害ガスの検知反応に対して信号電圧（有害ガスの濃度が高ければ高いほど、有害ガス検知器の電気抵抗は低くなり、電圧は高くなる）を出力することができ、警報器（例えば、点滅灯、ブザー）を起動させて警報を発する。しかし、昔から知られている有害ガス検知器は、有害ガスの電圧と濃度との関係曲線グラフについて対比（図１に示すようにどんな種類の有害ガスを探知）を行って信号電圧を発出させるものばかりで、反応時間が長すぎて感度が不十分となり、高安全性の使用要求に合致するのは困難であった。
【発明の概要】
【発明が解決しようとする課題】
【０００４】
従来の有害ガス検知器の検知方式については、迅速に反応することが難しく、かつ有害ガスの種類を探知することは、一般の家庭ユーザにとっては必ずしも必要とは限らず、やはり一旦有害ガスの検出が現れると、警戒感を高く持たせて排除を行わなければならず、また、余分な時間を予め安全処置のために保留しておくことが最重要である。一般の使用者にとって、どんな種類の有害ガスの判断のために無駄に時間を費やすに至っては、全く役に立たなくなってしまう（しかも、特定の有害ガスには、人に警戒心を起こさせて危険から身を守ることができるように、法的規制に従って着臭剤を添加する必要がある）。
【課題を解決するための手段】
【０００５】
本発明に係る有害ガス検知器の判断を向上させる方法は、有害ガス検知器の出力信号電圧と環境検知電圧との間の電圧差を予め多数等分の分割にして設定すると共に、直線性変化を呈する環境検知電圧に対して密集検知を行い、かつ密集検知が３回連続する検知履歴プロセスが直線性変化を呈するときに警報器を起動させ、そうでない場合は出力信号電圧を環境検知電圧の変動に基づいて補償して定時検知へ応答送信することで、有害ガス検知器は、温度、湿度変化に応じて補償を行うように促すことができる。この方法により、下記の効果が達成される。
【発明の効果】
【０００６】
本発明の各個検知履歴プロセスは、マイクロプロセッサにより１０回連続的に各マイクロ秒ごとに捕獲された環境検知電圧から構成され、定時検知において各１０秒ごとに１回の検知履歴プロセスを行うと共に、環境検知電圧の変化数値に変動が直線性変化を呈するように現れたときであれば、定時検知は１０分の１秒ごとの１回の密集検知状態に入り、かつ３回連続する検知履歴プロセスの時間と電圧との関係比較図に直線性変化が呈されるときは、有害ガスを検知したら、警報器を起動させることを代表し、そうでない場合は温度、湿度変動に応じた自然変化（非直線性変化）と判断し、このとき、マイクロプロセッサにより出力信号電圧を環境検知電圧の変動に基づいて補償して定時検知へ応答送信することで、両者間の電圧差を一定値に維持するように促し（例えば、環境検知電圧を出力信号電圧より０．５Ｖ低く設定しておく場合、マイクロプロセッサが取得した環境検知電圧に、温度、湿度変動に応じて０．１Ｖの変動が発生するときに、マイクロプロセッサにより出力信号電圧を相対的に０．１Ｖの変動を発生させることによって、環境検知電圧は、出力信号電圧より０．５Ｖ低く設定した状態に保持される）、温度、湿度に起因する検知電圧の上昇による誤報の発生を防止できる。
【図面の簡単な説明】
【０００７】
【図１】従来の電圧と濃度との関係曲線グラフである。
【図２】本発明の有害ガス検知器の電圧と時間との関係曲線グラフである。
【発明を実施するための形態】
【０００８】
本発明に係る有害ガス検知器の判断を向上させる方法は、有害ガス検知器の出力信号電圧と環境検知電圧との間の電圧差を予め多数等分の分割にして設定し（本発明においては、この電圧差に１００等分の分割を有させる）、検知器の各個検知履歴プロセスは、マイクロプロセッサにより１０回連続的に各マイクロ秒ごとに捕獲された環境検知電圧から構成され、定時検知において各１０秒ごとに１回の検知履歴プロセスを行うと共に、環境検知電圧の時間と電圧との関係比較図に直線性変化が呈されるように現れたときであれば（図２参照）、定時検知は１０分の１秒ごとの１回の検知を実行する密集検知状態に入り、かつ密集検知が３回連続する検知履歴プロセスが直線性変化を呈するときに警報器を起動させ（有害ガス検知器の設計は、本来、有害ガスの存在に対して生じる電気信号が変化するように設計される）、そうでない場合は温度、湿度変動に応じた環境自然変化（非直線性変化）と判断し、このとき、マイクロプロセッサにより出力信号電圧を環境検知電圧の変動に基づいて補償して定時検知へ応答送信することで、両者間の電圧差を一定値に維持するように促し（例えば、環境検知電圧を出力信号電圧より０．５Ｖ低く設定しておく場合、マイクロプロセッサが取得した環境検知電圧に、温度、湿度変動に応じて０．１Ｖの変動が発生するときに、マイクロプロセッサにより出力信号電圧を相対的に０．１Ｖの変動を発生させることによって、環境検知電圧は、出力信号電圧より０．５Ｖ低く設定した状態に保持される）、温度、湿度に起因する検知電圧の上昇による誤報の発生を防止できる（マイクロプロセッサにより環境検知電圧に対して補償を与え、温度、湿度変動による環境自然変化に対応できるので、温度センサ、湿度センサの追加設置も必要ない）。
【図１】
2020173745.tif 000003
【図２】
2020173745.tif 000004